(57)【要約】【課題】発光態様に意外性がある棒状発光玩を提供する。【解決手段】冷陰極管を有する棒状発光部を備え、前記冷陰極管に印加される電圧を変化させるトランスと、このトランスの一次側コイルに印加される電圧を制御して二次側コイルに接続される前記冷陰極管に印加される電圧を変化させる制御回路とを備え、スイッチ操作を通じて前記制御回路で前記一次側コイルに印加される電圧を変化させることにより、発光領域を前記棒状発光部の一端側から他端側に向けて徐々に伸長させるように構成した。【選択図】        図２
2004159692.tif 000002
【特許請求の範囲】
【請求項１】
冷陰極管を有する棒状発光部を備え、前記冷陰極管に印加される電圧を変化させるトランスと、このトランスの一次側コイルに印加される電圧を制御して二次側コイルに接続される前記冷陰極管に印加される電圧を変化させる制御回路とを備え、スイッチ操作を通じて前記制御回路で前記一次側コイルに印加される電圧を変化させることにより、発光領域を前記棒状発光部の一端側から他端側に向けて徐々に伸長させるように構成したことを特徴とする棒状発光玩具。
【請求項２】
前記棒状発光部によって剣身部が構成され、前記スイッチが前記剣身部に連設される握り柄に設けられ、発光領域を棒状発光部の基端側から先端側に向けて徐々に伸長させるように構成したことを特徴とする請求項１記載の棒状発光玩具。
【請求項３】
スイッチの操作を通じ前記制御回路で前記一次側コイルに印加される電圧を変化させることにより、発光領域を棒状発光部の先端側から基端側に向けて徐々に縮減させるように構成したことを特徴とする請求項２記載の棒状発光玩具。
【請求項４】
前記握り柄には振動発生部が設置され、前記発光領域の変化の際に前記握り柄を振動させるように構成したことを特徴とする請求項２または３記載の棒状発光玩具。
【請求項５】
前記握り柄には音出力部が設置され、前記発光領域の変化の際に前記音出力部から音を出力されるように構成したことを特徴とする請求項２〜４のいずれか一に記載の棒状発光玩具。
【発明の詳細な説明】
【０００１】
【発明の属する技術分野】
本発明は、棒状発光玩具に関するものである。
【０００２】
【従来の技術】
従来、棒状発光玩具として、握り柄の先に連接した中空透明棒状体の内部に、長手方向の複数箇所を繰り返し点滅可能となるように発光体を設置したものが知られている（特許文献１）。
【０００３】
【特許文献１】
登録実用新案第３０５０６４４号公報
【０００４】
【発明が解決しようとする課題】
しかしながら、このような棒状発光玩具にあっては、剣身部の長手方向の複数箇所が点滅するが、発光態様に意外性がなく、興趣性に乏しいという問題がある。また、観賞用としてならば兎も角、一般に認識されている剣とはかけ離れたもので、剣玩具として使用するには興趣性に乏しいものである。
本発明は、かかる問題点に鑑みなされたもので、発光態様に意外性がある棒状発光玩を提供することを目的とする。
【０００５】
【課題を解決するための手段】
請求項１記載の棒状発光玩具は、冷陰極管を有する棒状発光部を備え、前記冷陰極管に印加される電圧を変化させるトランスと、このトランスの一次側コイルに印加される電圧を制御して二次側コイルに接続される前記冷陰極管に印加される電圧を変化させる制御回路とを備え、スイッチ操作を通じて前記制御回路で前記一次側コイルに印加される電圧を変化させることにより、発光領域を前記棒状発光部の一端側から他端側に向けて徐々に伸長させるように構成したことを特徴とする。ここに「徐々に」とは視覚的に見て伸長の様子がわかる程度を意味する。以下、同じである。
この棒状発光玩具によれば、発光領域が棒状発光部の一端側から他端側に向けて伸長するので、意外性があり、興趣性の高い玩具が実現できる。
【０００６】
請求項２記載の棒状発光玩具は、請求項２記載の棒状発光玩具において、前記棒状発光部によって剣身部が構成され、前記スイッチが前記剣身部に連設される握り柄に設けられ、発光領域を棒状発光部の基端側から先端側に向けて徐々に伸長させるように構成したことを特徴とする。なお、前記トランスは握り柄、または剣身部の発光の妨げとならない位置に設けることが好ましい。
この棒状発光玩具によれば、発光領域が棒状発光部の基端側から他端側に向けて伸長するので、あたかも剣身部自体が伸長しているかのイメージが醸し出されることになる。
【０００７】
請求項３記載の現状発光玩具は、請求項２記載の棒状発光玩具において、スイッチの操作を通じ前記制御回路で前記一次側コイルに印加される電圧を変化させることにより、発光領域を棒状発光部の先端側から基端側に向けて徐々に縮減させるように構成したことを特徴とする。
この棒状発光玩具によれば、発光領域が棒状発光部の先端側から基端側に向けて縮減するので、あたかも剣身部自体が縮減しているかのイメージが醸し出されることになる。
【０００８】
請求項４記載の棒状発光玩具は、請求項２または３記載の棒状発光玩具において、前記握り柄には振動発生部が設置され、前記発光領域の変化の際に前記握り柄を振動させるように構成したことを特徴とする。
この棒状発光玩具によれば、発光領域の変化の際に握り柄が振動するので、発光領域の変化を触覚的に感じ取ることができる。
【０００９】
請求項５記載の棒状発光玩具は、請求項２〜４のいずれか一に記載の棒状発光玩具において、前記握り柄には音出力部が設置され、前記発光領域の変化の際に前記音出力部から音を出力されるように構成したことを特徴とする。
この棒状発光玩具によれば、発光領域の変化の際に音が出力されるので、発光領域の変化を聴覚的に取ることができる。
【００１０】
【発明の実施の形態】
１．全体構成
図１に示すように、実施形態の棒状発光装置１００は握り柄１０および剣身部３０から構成され、全体として剣の形状を呈している。このうち剣身部３０は棒状発光部を構成している。そして、握り柄１０に設けられたスイッチ１１を押すと、剣身部３０が根元側から青く発光し、その光が基端側から先端側に向けて伸びてゆき、最後には全体が青色に発光する。その際に「ウイーン」という機動音が出るとともに、握り柄１０が振動する。この状態は次にスイッチ１１が押されるまで維持される。
【００１１】
次に、スイッチ１１を押すと、剣身部３０の先端までまで伸びていた青色の光が先端側から基端側に向けて消えてゆき、最後には光全部が消える。その際に「シュー」という消去音が出るとともに、握り柄１０が振動する。
【００１２】
２．細部構成
（１）握り柄１０について
▲１▼電池１２
図２に示すように、握り柄１０の底には電池１２が設置されている。この電池としては特に限定はされないが単三電池が４本使用されている。この電池１２の交換を簡単にするため、握り柄１０の底が蓋１０ａが設けられている。この電池１２は各種回路部品の電源となるものである。
【００１３】
▲２▼スイッチ１１および制御回路１３
図１に示すように、握り柄１０の外周にはスイッチ１１が設けられている。このスイッチ１１の押圧信号は制御回路１３に送られ、図３に示すように、制御回路１３によってモータ駆動回路１４、増幅器１５およびトランス１６の各作動が制御される。なお、制御回路１３にはタイマー回路が組み込まれ、スイッチ１１が所定時間（例えば１秒〜２秒程度）押された状態になったときに制御回路１３によってモータ駆動回路１４、増幅器１５およびトランス１６の各作動が制御される。
この場合、制御回路１３からトランス１６の一次コイル側にはＤＣ／ＡＣ変換された交流電圧が印加される。その際に、トランス１６の２次コイル側には０Ｖ〜１０００Ｖの交流電圧が発生する。また、制御回路１３に予め記憶された音声データ（２値データ）に基づいてＤＣ／ＡＣ変換された音声出力信号が増幅器１５に供給される。
なお、制御回路１３を構成する回路部品は、握り柄１０内に設置された基板１７に取り付けられている。
【００１４】
▲３▼モータ１８
図２に示すように、握り柄１０にはモータ１８が設置されている。このモータ１８は特に限定はされないが直流モータであって、モータ駆動回路１４によって駆動される。このモータ１８の軸１８ａには偏心錘１８ｂが付設され、モータ１８が作動した際に偏心錘１８ｂが回転し、握り柄１０が振動するようにされている。偏心錘１８ａが付設されたモータ１８は振動発生部を構成する。
【００１５】
▲４▼スピーカ１９
図２に示すように、握り柄１０にはスピーカ（音出力部）１９が設置されている。このスピーカ１９は、増幅器１５によって増幅された音声出力信号に基づく音を出力する。
【００１６】
（２）剣身部３０について
剣身部３０は、特に限定はされないが、棒状の冷陰極管３１と、冷陰極管３１が挿入される乳白色のパイプ３２と、冷陰極管３１とパイプ３２との間に介装される緩衝体３３とから構成されている。
【００１７】
▲１▼冷陰極管３１
冷陰極管３１の蛍光体の色は青色となっている。この冷陰極管３１の陰極および陽極には前記トランス１６の二次側コイルの端部が接続されている。この場合、冷陰極管３１の先端側の極と二次側コイルの一端との接続は導線（ワイヤ）によってなされている。
なお、冷陰極管３１の蛍光体の色は赤その他の色であってもよい。
【００１８】
▲２▼カバーパイプ３２
カバーパイプ３２は特に限定はされないがポリカーボネートから構成されている。カバーパイプ３２の材質は衝撃に強くしかも透光性の素材ならば材質を問わない。このカバーパイプ３２は光を拡散できるようなものであることが好ましい。
【００１９】
▲３▼緩衝体３３
緩衝体３３は特に限定はされないが綿状で白色のポリエチレンから構成されている。緩衝体３３の材質は光の透過をあまり阻害しない材質であることが好ましい。
【００２０】
３．動作
以上のように構成された棒状発光体１００は、消灯状態でスイッチ１１が押されると、制御回路１３によってモータ駆動回路１４、増幅器１５およびトランス１６が作動する。その結果、、モータ１８が作動して握り柄１０が振動し、スピーカ１９からは機動音である「ウィーン」という音が出力される。また、冷陰極管３１には０Ｖから徐々に１０００Ｖに昇圧される交流電圧が印加され、棒状発光部（剣身部３０）の握り柄１０側から先端側に向けて青色の光が伸張してゆく。最終的に全体が青色の光で点灯する。
【００２１】
次に、点灯状態でスイッチ１１が押されると、制御回路１３によってモータ駆動回路１４、増幅器１５およびトランス１６が制御される。その結果、、モータ１８が停止して握り柄１０の振動が止み、スピーカ１９からは消去音である「シュー」という音が出力される。また、冷陰極管３１には１０００Ｖから徐々に０Ｖに降圧される交流電圧が印加され、棒状発光部（剣身部３０）の先端側側から握り柄１０に向けて青色の光が縮減してゆく。最終的に青色の光が消えると、モータ１８が停止し、また、スピーカ１９から音が出力されなくなる。
【００２２】
３．変形
以上の本発明の実施形態について説明したが、本発明は、かかる実施形態に限定されるものではなく、その要旨を逸脱しない範囲で種々変形が可能であることは言うまでもない。
【００２３】
【発明の効果】
本発明の代表的なものの効果を説明すれば、棒状発光部によって剣身部が構成され、スイッチが剣身部に連設される握り柄に設けられ、発光領域を棒状発光部の基端側から先端側に向けて徐々に伸長させるように構成したので、あたかも剣身部自体が伸長しているかのイメージが醸し出され、興趣性の高い玩具が実現できる。
【図面の簡単な説明】
【図１】本発明の実施形態に係る棒状発光玩具の斜視図である。
【図２】図１に示した棒状発光玩具の握り柄およびその近傍を示す図である。
【図３】図１に示した棒状発光玩具の回路の構成図である。
【符号の説明】
１００    棒状発光装置
１０      握り柄
１１      スイッチ
１３      制御回路
１４      モータ駆動回路
１６      トランス
１８      モータ
３０      棒状発光部
３１      冷陰極管
【図１】
2004159692.tif 000003
【図２】
2004159692.tif 000004
【図３】
2004159692.tif 000005